(57)【要約】【目的】衣服に照明装置を取り付ける際、衣服に対するクランプ位置と照明装置の重心位置が離れている場合に起こる、照明装置が倒れて所望の照明方向を得られない不具合を解消する。【構成】照明装置の照明に関わる部材をクランプ近傍に配置することで照明方向の安定を図り、光線を回転可能な反射面で偏向することで所望の照明方向を得る。【選択図】        図１
2005071884.tif 000002
【特許請求の範囲】
【請求項１】
電源と、この電源により発光する光源と、前記電源と光源を格納し光線を遮らないための開口部を有しかつ前記光源の光軸と同一軸をなす回転軸を備えた筐体と、前記光源から発する光線を反射する反射面と、前記筐体の回転軸と回動可能に接合される回転摺動面と、この回転摺動面と前記反射面を結合する支持部材と、筐体の姿勢を保持する固定手段を有することを特徴とする照明装置。
【請求項２】
前記光線の反射手段としてプリズムを用いることを特徴とする請求項１記載の照明装置。
【請求項３】
前記光線の反射手段としてミラ−を用いることを特徴とする請求項１    乃至請求項２の何れかに記載の照明装置。
【請求項４】
反射光量の損失を軽減する手段としてレンズを有する請求項１乃至請求項３の何れかに記載の照明装置。
【請求項５】
前記筐体固定手段として、筆記具の軸に弾性的に装着する装着手段を有することを特徴とする請求項１乃至請求項４の何れかに記載の照明装置。
【発明の詳細な説明】
【技術分野】
【０００１】
本発明は、照明装置に関する。
【背景技術】
【０００２】
照明設備のない暗所にて作業を行う場合、懐中電灯やランタンが用いられる。しかしながら、懐中電灯では手に持って照明を行う必要があるので、両手を用いての作業には向かない。またランタンのような自立型の照明では、所望の位置を照らすために使用者が照明に身を寄せなければならない。また一般的に自立型の照明は大型で携帯性が良いとはいえない。このような問題を解決するものとして、クリップライトと言われるクリップを備えた携帯型の照明装置が知られている。携帯型のクリップライトは、クリップにより帽子の鍔などに固定できる小型の照明である。クリップと照明本体が特開平０７−０２１８２６号公報に開示されるようなボールジョイントなどにより結合されているため、照明方向を自在に変更でき所望の照明方向を得られるので、これまで述べた用法に向いている照明時に両手をふさぐことなく所望の方向を照らせ、しかも携帯性が求められる用途に向いている。
【０００３】
【特許文献１】特開平０７−０２１８２６号
【発明の開示】
【発明が解決しようとする課題】
【０００４】
しかしながら多くのクリップライトは、質量の大きな電源を含む照明部本体全体をボールジョイントにより可動とするため可動部分が重く、照明部本体の重心位置とクリップ面の距離が離れており、照明方向によって重心位置が変動する。クリップライトをクリップにより取り付ける場合、力のモーメントが作用しクリップライトは倒れようとする。堅い鍔を備えた帽子に取り付けた場合は、鍔の材料がクリップライトの回転に抗して回転を妨げるが、衣服のようなしなやかな素材の例えば胸の位置に照明装置を取り付けた場合、衣服の素材は回転に抗せず照明部本体が下を向いてしまい、所望の照明方向を得られないという問題があった。
【課題を解決するための手段】
【０００５】
本発明は従来の問題に鑑みなされたもので、電源と、この電源により発光する光源と、この電源と光源を格納し光線を遮らないための開口部を有しかつ前記光源の光軸と同一軸をなす回転軸を備えた筐体と、前記光源から発する光線を反射する反射面と、前記筐体の回転軸と回動可能に接合される回転摺動面と、この回転摺動面と前記反射面を結合する支持部材と、筐体の姿勢を保持する固定手段を有する照明装置を第１の要旨とし、また前記光線の反射手段としてプリズムを用いることを第２の要旨とし、前記光線の反射手段としてミラ−を用いることを第３の要旨とし、反射光量の損失を軽減する手段としてレンズを有することを第４の要旨とし、前記筐体固定手段として筆記具の軸に弾性的に装着する装着手段を有する照明装置を第５の要旨とするものである。
【発明の効果】
【０００６】
本発明によれば、照明装置の保持手段と照明部の重心位置が近くかつ安定的なので、照明方向によらず、衣服のようなしなやかな素材に取り付けても照明部本体を安定して保持でき、両手を使っての作業を行える。
【発明を実施するための最良の形態】
【０００７】
本発明は、筐体に回転可能に取り付けられたプリズムあるいはミラーよりなる反射面により、光源より発せられた光線を偏向するもので、照明装置本体を装置の固定手段と一体に配置しても照明方向を変更できるので、固定位置に対する装置の重心が低く、照明方向の変更時も重心位置の変動が少なく、固定手段に対する重量のモーメントが小さいので、照明装置を衣服のようなしなやかな素材に取り付けても照明部本体を安定して保持でき、従って照明方向が安定する。
【実施例１】
【０００８】
以下、本発明の詳細について添付図面を参照して説明する。図１に示す本実施例の照明装置は図示しない電池を収納する筐体１と、前記電池により発光し、開口部２から突出して筐体１に格納されたＬＥＤ３と、ＬＥＤ３より発せられた光線を偏向する直角プリズム４と、ヒンジ５により回転可能に取り付けられ図示しないばねにより付勢されることで筐体の下面６とクリップを構成する挟持部材７とから構成される。ＬＥＤ３が突出する部分の筐体外面には、ＬＥＤ３の光軸と同一な軸よりなる円柱面８が備えられている。一方、直角プリズム４には前記筐体の円柱面８と回転可能に嵌合する円筒面９が形成されており
、直角プリズム４は筐体１と回転可能に嵌合する。挟持部材７はヒンジ５を中心に回動し
、図示しないばねにより口部１０を閉じるように付勢されている。図示していないが、装置にはスライドスイッチなど点灯を保持するスイッチがあるものとする。
【０００９】
次にＬＥＤ３から発せられた光線の偏向について図２を参照して説明する。ＬＥＤ３から発せられた光線１１は直角プリズムの第１面１２に入射する。ここで光線は入射角と直角プリズム４の材料の屈折率に従って屈折し、プリズム内を進む。更に光線は直角プリズム４の斜面１３に入射し、臨界角以上の角度で入射する光線は全反射し（１４）、それ以外は斜面１３を屈折透過する（１５）。全反射した光線１４は直角プリズムの第２面１６に入射し、屈折透過し偏向される。直角プリズム４への入射光量を多くするため、ＬＥＤ３の指向特性は狭角なものが望ましい。また直角プリズムの斜面１３を透過してしまう光線量を少なくするため、全反射を補うアルミや銀などのコートを斜面１３に施してもよい
。直角プリズム４はＬＥＤ３の光軸と同軸に回転可能なので、照明として、光線の反射状況を維持しつつ照明方向を変えることができる。照明方向を変更しても、クリップの挟持面に対する重心の移動は少なく、かつ挟持面から近い位置に重心を配置しているので、衣服のようなしなやかな素材に取り付けても照明部本体を安定して保持できる。本実施例では反射面として直角プリズムによる全反射を用いたが、図３に示すようなアルミや銀などをコートしたミラー１７によるものでも良い。
【００１０】
次に第２の実施例について図４を用いて説明する。前記実施例のＬＥＤ３と直角プリズム４の間に凸レンズ１８を挿入した例を説明する。前記実施例ではＬＥＤ３の指向特性により一部の光は全反射されない。コート材よる反射は全反射に比べ反射効率が悪い。そこで直角プリズムの第１面に垂直に入射する光線量を多くすることで、全反射される光線量を増やす。凸レンズ１８はそのためのレンズである。ＬＥＤ３の発光位置と凸レンズ１８の後側焦点が近く、かつＬＥＤ３から発光された光線がすべてレンズ面に入射るようにレンズ１８を選ぶ。レンズを用いると、直角プリズムの斜面１３に４５度で入射する光線量が増すので、直角プリズムの第２面１６を出た光線も拡散が減るので、照明部の輝度を上げる効果がある。
【００１１】
次に第３の実施例について図５を用い説明する。照明部の保持手段として、筆記具の軸を弾性的に挟持する挟持手段を用いるもので、実施例では照明部の筐体下面に設けた切れ込み１９により径方向に弾性を有する円筒部２０を筆記具の後端に嵌合するものである。一般的に、筆記具には胸ポケットなどに保持するためのクリップ２１が備わっており、これを利用することで照明装置にはクリップなどの部品点数が多くなる手段を有さず、簡便に筆記具に装着することで安価な照明装置を提供するものである。この場合も筆記具に対する保持手段と照明部の重心位置が近く安定的なので、照明装置を付けたまま筆記をしても、重心の違和感が軽減でき、かつ筆記面の照明も可能となる。
【図面の簡単な説明】
【００１２】
【図１】第１実施例の説明図。
【図２】第１実施例の説明図。
【図３】第２実施例の説明図。
【図４】第２実施例の可動接点部分の拡大図。
【図５】第３実施例の説明図。
【符号の説明】
【００１３】
１    筐体
２    開口部
３    ＬＣＤ
４    直角プリズム
５    ヒンジ
６    筐体の下面
７    挟持部材
８    円柱面
９    円筒面
１０  クリップの口部
１１  ＬＥＤから発した光線
１２  直角プリズムの第１面
１３  直角プリズムの斜面
１４  全反射した光線
１５  透過した光線
１６  直角プリズムの第２面
１７  ミラー
１８  凸レンズ
１９  切れ込み
２０  円筒部
【図１】
2005071884.tif 000003
【図２】
2005071884.tif 000004
【図３】
2005071884.tif 000005
【図４】
2005071884.tif 000006
【図５】
2005071884.tif 000007